(57)【特許請求の範囲】
【請求項１】
対象者が対象空間に到着する予定であることを判断可能な到着予定情報を、前記到着予定情報を提供する装置から取得する取得部と、
前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部と、
前記端末装置へ送信する前記問い合わせ内容を作成する情報作成部とを備え、
前記取得部は、さらに、前記対象者が前記対象空間に到着してから所定時間以内における、前記対象者による前記機器の動作を変更する操作内容を、前記対象者にとっての前記対象空間の快適性を判断可能な快適性情報として前記機器から取得するとともに、前記センサによる対応の計測結果を取得し、
前記情報作成部は、前記取得部によって取得された前記操作内容に基づいて前記快適性を判断し、判断結果、前記対象者が前記対象空間に到着してから前記所定時間以内における前記センサによる計測結果、および前記取得部によって前記到着予定情報が取得された場合に対応する前記センサによる計測結果に基づいて、前記問い合わせ内容を作成する、機器管理装置。
【請求項２】
対象者が対象空間に到着する予定であることを判断可能な到着予定情報を、前記到着予定情報を提供する装置から取得する取得部と、
前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部と、
前記端末装置へ送信する前記問い合わせ内容を作成する情報作成部とを備え、
前記送信部はさらに、前記対象者が前記対象空間に到着したことに応答して登録画面を表示させるための情報を前記端末装置へ送信し、
前記取得部は、さらに、前記対象者にとっての前記対象空間の快適性であって、前記端末装置に表示された前記登録画面を前記対象者が操作することによって登録した前記快適性を判断可能な快適性情報を前記端末装置から取得するとともに、前記センサによる対応の計測結果を取得し、
前記情報作成部は、前記取得部によって取得された前記快適性情報および前記センサによる対応の計測結果と、前記取得部によって前記到着予定情報が取得された場合に対応する前記センサによる計測結果とに基づいて、前記問い合わせ内容を作成する、機器管理装置。
【請求項３】
前記到着予定情報を提供する前記装置は、前記対象者が携帯する前記端末装置を含む、請求項１または請求項２に記載の機器管理装置。
【請求項４】
前記情報作成部は、前記取得部によって前記到着予定情報が取得された場合における前記センサによる最新の計測結果と前記快適性が最も高いときの前記センサによる計測結果との比較結果に基づいて、前記機器の制御の推奨内容を含む前記問い合わせ内容を作成する、請求項１から請求項３のいずれか１項に記載の機器管理装置。
【請求項５】
前記情報作成部は、前記比較結果における相違が所定条件を満たす場合、前記機器を動作させることを前記推奨内容とする、請求項４に記載の機器管理装置。
【請求項６】
前記情報作成部は、前記比較結果における相違が所定条件を満たす場合、前記機器を動作させないことを前記推奨内容とする、請求項４に記載の機器管理装置。
【請求項７】
前記取得部は、さらに、前記対象者が前記端末装置に対して前記推奨内容を採用しないことを指示する入力操作を行った場合に、前記機器の制御内容を示す制御情報を前記端末装置から取得する、請求項４から請求項６のいずれか１項に記載の機器管理装置。
【請求項８】
前記提示情報は、前記取得部によって前記到着予定情報が取得された場合における前記センサによる最新の計測結果と、前記最新の計測結果より前に取得された前記センサによる計測結果である過去計測結果および対応の前記快適性とを含む、請求項１から請求項７のいずれか１項に記載の機器管理装置。
【請求項９】
前記過去計測結果は、前記快適性が最も高いときの前記センサによる計測結果である、請求項８に記載の機器管理装置。
【請求項１０】
機器管理装置において用いられる機器管理プログラムであって、
コンピュータを、
対象者が対象空間に到着する予定であることを判断可能な到着予定情報を、前記到着予定情報を提供する装置から取得する取得部、
前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部、および、
前記端末装置へ送信する前記問い合わせ内容を作成する情報作成部として機能させるためのプログラムであり、
前記取得部は、さらに、前記対象者が前記対象空間に到着してから所定時間以内における、前記対象者による前記機器の動作を変更する操作内容を、前記対象者にとっての前記対象空間の快適性を判断可能な快適性情報として前記機器から取得するとともに、前記センサによる対応の計測結果を取得し、
前記情報作成部は、前記取得部によって取得された前記操作内容に基づいて前記快適性を判断し、判断結果、前記対象者が前記対象空間に到着してから前記所定時間以内における前記センサによる計測結果、および前記取得部によって前記到着予定情報が取得された場合に対応する前記センサによる計測結果に基づいて前記問い合わせ内容を作成する、機器管理プログラム。
【請求項１１】
機器管理装置において用いられる機器管理プログラムであって、
コンピュータを、
対象者が対象空間に到着する予定であることを判断可能な到着予定情報を、前記到着予定情報を提供する装置から取得する取得部、
前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部、および、
前記端末装置へ送信する前記問い合わせ内容を作成する情報作成部として機能させるためのプログラムであり、
前記送信部はさらに、前記対象者が前記対象空間に到着したことに応答して登録画面を表示させるための情報を前記端末装置へ送信し、
前記取得部は、さらに、前記対象者にとっての前記対象空間の快適性であって、前記端末装置に表示された前記登録画面を前記対象者が操作することによって登録した前記快適性を判断可能な快適性情報を前記端末装置から取得するとともに、前記センサによる対応の計測結果を取得し、
前記情報作成部は、前記取得部によって取得された前記快適性情報および前記センサによる対応の計測結果と、前記取得部によって前記到着予定情報が取得された場合に対応する前記センサによる計測結果とに基づいて、前記問い合わせ内容を作成する、機器管理プログラム。
【発明の詳細な説明】
【技術分野】
【０００１】
本発明は、機器管理装置および機器管理プログラムに関し、特に、対象者に情報を提示する機器管理装置および機器管理プログラムに関する。
【背景技術】
【０００２】
従来、快適性または利便性等の向上を目的として、対象空間における機器を遠隔で制御するシステムが開発されている。
【０００３】
たとえば、特許文献１（特開２００２−２６７４８７号公報）には、以下のような技術が開示されている。すなわち、遠隔制御システムは、利用者が携帯する端末機器に搭載され、該端末機器の現在位置情報を自動的に取得可能な現在位置取得手段と、上記端末機器を利用する利用者の帰宅経路情報を記憶する帰宅経路情報記憶手段と、上記現在位置取得手段によって取得された現在位置情報と、上記帰宅経路情報記憶手段に記憶される帰宅経路情報とに基づいて、上記端末機器が帰宅経路上に存在するか否かを判定する帰宅経路判定手段と、上記帰宅経路判定手段によって上記端末機器が帰宅経路上に存在すると判断された場合に、上記現在位置情報と上記帰宅経路情報とに基づいて予測帰宅時間を予測する帰宅時間予測手段と、上記帰宅時間予測手段によって予測された予測帰宅時間を基準とする所定の制御タイミングで、遠隔地にある電子機器の制御を行う電子機器制御手段とを備える。
【先行技術文献】
【特許文献】
【０００４】
【特許文献１】特開２００２−２６７４８７号公報
【発明の概要】
【発明が解決しようとする課題】
【０００５】
たとえば、自宅の環境がユーザにとって既に快適である状況において、遠隔制御システムでは、予測帰宅時間を基準とする所定の制御タイミングでエアコン等の当該環境に影響を与える機器をオンしてしまうことがある。
【０００６】
このような場合、当該機器をオンしなくてもユーザは自宅において快適に過ごすことができるので、無駄な電気代が発生してしまう。
【０００７】
この発明は、上述の課題を解決するためになされたもので、その目的は、対象空間に到着した対象者に快適な環境を効率的に与えることが可能な機器管理装置および機器管理プログラムを提供することである。
【課題を解決するための手段】
【０００８】
（１）上記課題を解決するために、この発明のある局面に係わる機器管理装置は、対象者が対象空間に到着する予定であることを判断可能な到着予定情報を取得する取得部と、前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部とを備える。
【０００９】
（１１）上記課題を解決するために、この発明のある局面に係わる機器管理プログラムは、機器管理装置において用いられる機器管理プログラムであって、コンピュータを、対象者が対象空間に到着する予定であることを判断可能な到着予定情報を取得する取得部と、前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部と、として機能させるためのプログラムである。
【００１０】
本発明は、このような特徴的な処理部を備える機器管理装置として実現することができるだけでなく、機器管理装置を備える機器管理システムとして実現したり、かかる特徴的な処理をステップとする方法として実現したり、機器管理装置の一部または全部を実現する半導体集積回路として実現したりすることができる。
【発明の効果】
【００１１】
本発明によれば、対象空間に到着した対象者に快適な環境を効率的に与えることができる。
【図面の簡単な説明】
【００１２】
【図１】図１は、本発明の実施の形態に係る機器管理システムの構成を示す図である。
【図２】図２は、本発明の実施の形態に係る無線端末装置において、表示部に表示された画面の一例を示す図である。
【図３】図３は、本発明の実施の形態に係る無線端末装置において、表示部に表示された画面の一例を示す図である。
【図４】図４は、本発明の実施の形態に係る無線端末装置において、表示部に表示された画面の一例を示す図である。
【図５】図５は、本発明の実施の形態に係る無線端末装置において、表示部に表示された画面の一例を示す図である。
【図６】図６は、本発明の実施の形態に係る機器管理システムにおける機器管理装置の構成を示す図である。
【図７】図７は、本発明の実施の形態に係る無線端末装置において、表示部に表示された画面の一例を示す図である。
【図８】図８は、本発明の実施の形態に係る無線端末装置において、表示部に表示された画面の一例を示す図である。
【図９】図９は、本発明の実施の形態に係る機器管理システムにおいて、機器管理装置が到着予定情報を受信して処理する際のシーケンスの一例を示す図である。
【図１０】図１０は、本発明の実施の形態に係る機器管理システムにおいて、機器管理装置が到着情報を受信して処理する際のシーケンスの一例を示す図である。
【図１１】図１１は、本発明の実施の形態に係る機器管理システムにおける機器管理装置の変形例の構成を示す図である。
【発明を実施するための形態】
【００１３】
最初に、本発明の実施形態の内容を列記して説明する。
【００１４】
（１）本発明の実施の形態に係る機器管理装置は、対象者が対象空間に到着する予定であることを判断可能な到着予定情報を取得する取得部と、前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部とを備える。
【００１５】
このような構成により、対象者は、対象空間への到着前に対象空間の環境が快適か否かを計測内容から認識することができるので、上記機器を予めオンしておくか否か等を適切に判断して当該機器を制御することができる。したがって、対象空間に到着した対象者に快適な環境を効率的に与えることができる。
【００１６】
（２）好ましくは、前記取得部は、さらに、前記対象者にとっての前記対象空間の快適性を判断可能な快適性情報および前記センサによる対応の計測結果を取得し、前記機器管理装置は、さらに、前記取得部によって取得された前記快適性情報および前記センサによる対応の計測結果と前記取得部によって前記到着予定情報が取得された場合に対応する前記センサによる計測結果とに基づいて前記問い合わせ内容を作成する情報作成部を備える。
【００１７】
このような構成により、快適性に対応する計測結果と到着予定情報が取得された場合に対応する計測結果との関係に基づいて、対象者にとって快適な環境を実現するための当該機器の制御内容を決定することできるので、適切な問い合わせ内容を作成することができる。
【００１８】
（３）より好ましくは、前記取得部は、前記快適性情報として、前記対象者による前記快適性の登録操作を示す登録情報を取得する。
【００１９】
このような構成により、対象者の登録内容から対象空間の快適性をより正しく判断することができるので、より適切な問い合わせ内容を作成することができる。
【００２０】
（４）より好ましくは、前記取得部は、前記対象者が前記対象空間に到着してから所定時間以内における、前記対象者による前記機器に対する操作内容を前記快適性情報として取得し、前記情報作成部は、前記取得部によって取得された前記操作内容に基づいて前記快適性を判断し、判断した結果と、前記対象者が前記対象空間に到着してから前記所定時間以内における前記センサによる対応の計測結果と、前記取得部によって前記到着予定情報が取得された場合に対応する前記センサによる計測結果とに基づいて前記問い合わせ内容を作成する。
【００２１】
対象空間に到着した対象者は、不快に感じると当該機器に対してたとえばオン操作を行うことが多く、また、快適に感じると当該機器に対して操作を行わないことが多い。したがって、対象者が対象空間に到着してからの行動に基づき、対象空間の快適性をより正しく判断することができる。これにより、より適切な問い合わせ内容を作成することができる。
【００２２】
（５）より好ましくは、前記情報作成部は、前記取得部によって前記到着予定情報が取得された場合における前記センサによる最新の計測結果と前記快適性が最も高いときの前記センサによる計測結果との比較結果に基づいて、前記機器の制御の推奨内容を含む前記問い合わせ内容を決定する。
【００２３】
このような構成により、最も快適であった環境と現在の環境との相違を認識することができるので、対象者にとって最も快適な環境を実現するための当該機器の制御内容を対象者に推奨することができる。
【００２４】
（６）より好ましくは、前記情報作成部は、前記比較結果における相違が所定条件を満たす場合、前記機器を動作させることを前記推奨内容とする。
【００２５】
このような構成により、対象空間の環境がたとえば不快の条件を満たす場合において、対象者に当該機器を動作させることを推奨することができる。
【００２６】
（７）より好ましくは、前記情報作成部は、前記比較結果における相違が所定条件を満たす場合、前記機器を動作させないことを前記推奨内容とする。
【００２７】
このような構成により、対象空間の環境がたとえば快適の条件を満たす場合において、当該機器を無駄に動作させることを防ぐことができる。
【００２８】
（８）より好ましくは、前記取得部は、さらに、前記対象者が前記推奨内容を採用しない場合に、前記機器の制御内容を示す制御情報を前記端末装置から取得する。
【００２９】
このように、対象者が、推奨内容と異なる制御内容を希望して当該推奨内容を採用しない場合において、対象者の意向が反映された制御内容を取得する構成により、対象者の希望を当該機器の制御に反映させることができる。
【００３０】
（９）好ましくは、前記提示情報は、前記取得部によって前記到着予定情報が取得された場合における前記センサによる最新の計測結果と、前記最新の計測結果より前に取得された前記センサによる計測結果である過去計測結果および対応の前記快適性とを含む。
【００３１】
このような構成により、対象者は、対象空間へ到着する前に、当該対象空間の環境が快適か否かを、過去のデータからより正しく認識することができる。
【００３２】
（１０）より好ましくは、前記過去計測結果は、前記快適性が最も高いときの前記センサによる計測結果である。
【００３３】
このような構成により、対象者は、対象空間の環境が、最も快適であった環境からどの程度かい離しているかを認識することができる。
【００３４】
（１１）本発明の実施の形態に係る機器管理プログラムは、機器管理装置において用いられる機器管理プログラムであって、コンピュータを、対象者が対象空間に到着する予定であることを判断可能な到着予定情報を取得する取得部と、前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部と、として機能させるためのプログラムである。
【００３５】
このような構成により、対象者は、対象空間への到着前に対象空間の環境が快適か否かを計測内容から認識することができるので、上記機器を予めオンしておくか否か等を適切に判断して当該機器を制御することができる。したがって、対象空間に到着した対象者に快適な環境を効率的に与えることができる。
【００３６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３７】
［構成および基本動作］
図１は、本発明の実施の形態に係る機器管理システムの構成を示す図である。
【００３８】
図１を参照して、機器管理システム３０１は、機器管理装置１０１と、無線端末装置２０２とを備える。無線端末装置２０２は、表示部２０４を含む。
【００３９】
機器１１１の一例である機器１１１Ａ，１１１Ｂ，１１１Ｃは、それぞれ空調装置すなわちエアコン、空気清浄器および加湿器である。
【００４０】
図１では、３つの機器１１１を代表的に示しているが、さらに多数または少数の機器１１１が設けられてもよい。また、１つのセンサ１３１を代表的に示しているが、複数のセンサ１３１が設けらてもよい。
【００４１】
対象空間Ｓ１は、自宅における家屋または部屋等である。対象空間Ｓ１に係る機器１１１、より詳細には、対象空間Ｓ１の環境に影響を与える機器１１１は、たとえば対象空間Ｓ１に設けられる。なお、機器１１１は、対象空間Ｓ１の外部に設けられてもよい。
【００４２】
対象空間Ｓ１の環境を計測するセンサ１３１は、たとえば対象空間Ｓ１に設けられる。なお、センサ１３１は、対象空間Ｓ１の外部に設けられてもよい。
【００４３】
アクセスポイント１６１は、機器１１１Ａ，１１１Ｂ，１１１Ｃおよびセンサ１３１から無線通信により受信した情報を中継して内部ネットワーク１１経由で機器管理装置１０１へ送信するとともに、機器管理装置１０１から内部ネットワーク１１経由で受信した情報を中継して無線通信により機器１１１Ａ，１１１Ｂ，１１１Ｃおよびセンサ１３１へ送信する。
【００４４】
基地局１７１は、無線端末装置２０２から無線通信により受信した情報を中継してインターネット１０経由で機器管理装置１０１へ送信するとともに、機器管理装置１０１からインターネット１０経由で受信した情報を中継して無線通信により無線端末装置２０２へ送信する。
【００４５】
センサ１３１は、たとえば温度、湿度、ほこり量、花粉量および臭気を計測することが可能であり、機器管理装置１０１から計測情報要求を受信すると、受信した計測情報要求に従って、最新の計測結果を示す計測情報を作成して機器管理装置１０１へ送信する。
【００４６】
機器１１１Ａは、たとえば、センサを内蔵し、温度および湿度を計測することが可能である。機器１１１Ａは、機器管理装置１０１から計測情報要求を受信すると、受信した計測情報要求に従って、最新の計測結果を示す計測情報を作成して機器管理装置１０１へ送信する。
【００４７】
機器１１１Ａ，１１１Ｂ，１１１Ｃは、機器管理装置１０１から制御内容を示す設定情報を受信すると、受信した設定情報の示す制御内容を設定し、設定が正常に完了したことを示すＡＣＫを機器管理装置１０１へ送信するとともに、設定した制御内容に従って動作する。
【００４８】
対象者１５１は、スマートホン等の無線端末装置２０２を携帯し、たとえば自宅へ向かう際、今から自宅へ向かうことを入力するための操作を無線端末装置２０２に対して行う。
【００４９】
無線端末装置２０２は、対象者１５１による上記操作を受けると、対象者１５１が自宅へ向かっていると判断し、たとえば、ＧＰＳ（Ｇｌｏｂａｌ  Ｐｏｓｉｔｉｏｎｉｎｇ  Ｓｙｓｔｅｍ）衛星からの電波に基づいて自己の位置を取得する。
【００５０】
無線端末装置２０２は、取得した自己の位置と自宅の位置との関係に基づいて、対象者１５１が自宅へ到着する予定の時刻である到着予定時刻を算出し、算出した到着予定時刻を示す到着予定情報を作成する。無線端末装置２０２は、作成した到着予定情報を機器管理装置１０１へ送信する。
【００５１】
なお、無線端末装置２０２は、ＧＰＳ衛星からの電波に基づく自己の位置と自宅の位置との関係の時間的推移に基づいて、対象者１５１が自宅へ向かっているか否かを判断してもよい。
【００５２】
より詳細には、無線端末装置２０２は、自己と対象者１５１の自宅との間の距離が所定値以下になると、対象者１５１が自宅へ向かっていると判断する。
【００５３】
また、対象者１５１は、たとえば自宅に到着した際、自宅に到着したことを入力するための操作を無線端末装置２０２に対して行う。
【００５４】
無線端末装置２０２は、対象者１５１による上記操作を受けると、対象者１５１が自宅に到着したことを示す到着情報を作成し、作成した到着情報を機器管理装置１０１へ送信する。
【００５５】
なお、無線端末装置２０２は、たとえば、ＧＰＳ衛星からの電波に基づく自己の位置から、対象者１５１が自宅に到着したか否かを判断してもよい。
【００５６】
より詳細には、無線端末装置２０２は、自己と対象者１５１の自宅との間の距離が所定値以下になると、対象者１５１が自宅に到着したと判断する。
【００５７】
また、無線端末装置２０２は、対象者１５１の自宅におけるアクセスポイント１６１との通信接続が確立した場合、対象者１５１が自宅に到着したと判断してもよい。
【００５８】
［無線端末装置における画面］
図２は、本発明の実施の形態に係る無線端末装置において、表示部に表示された画面の一例を示す図である。図２には、エアコンおよび空気清浄器の運転を行うことを推奨する画面Ｓｃ１が示される。
【００５９】
図２を参照して、領域Ｒｇ１１には、対象空間Ｓ１に設けられたセンサ１３１および機器１１１Ａによる最新の計測結果に基づく計測内容すなわち「気温」、「湿度」および「空気汚れ」が示される。
【００６０】
領域Ｒｇ１２には、当該最新の計測結果より前に取得された計測結果である過去計測結果、たとえば「昨日」の計測結果に基づく計測内容が示される。また、領域Ｒｇ１４には、「昨日」の計測結果が取得された対象空間Ｓ１における環境での対象者１５１の快適性を示す「快適度」が示される。
【００６１】
領域Ｒｇ１３には、過去計測結果のうち最も快適性の高かった計測結果、たとえば「９／２０」の計測結果に基づく計測内容が示される。また、領域Ｒｇ１５には、「９／２０」の計測結果が取得された対象空間Ｓ１における環境での対象者１５１の快適性を示す「快適度」が示される。
【００６２】
領域Ｒｇ１６には、対象空間Ｓ１の環境に影響を与える機器１１１の制御に関する問い合わせ内容が示される。より詳細には、領域Ｒｇ１６には、機器管理装置１０１が推奨する機器１１１の設定、および当該設定を採用するか否かの問い合わせが示される。
【００６３】
ここでは、最も快適性の高かった「９／２０」における計測結果と比べて、「現在」の「湿度」が高く、かつ「空気汚れ」が「ある」ため、エアコンを除湿運転すること、および空気清浄器を運転することが推奨されている。一方、「現在」の高い「湿度」では加湿器の運転は必要ないため、加湿器の推奨設定は表示されていない。
【００６４】
対象者１５１は、領域Ｒｇ１６に示される設定内容を採用する場合、ボタンＢｔ１１を操作する。一方、対象者１５１は、領域Ｒｇ１６に示される設定内容と異なる設定内容を採用する場合、ボタンＢｔ１２を操作する。
【００６５】
図３は、本発明の実施の形態に係る無線端末装置において、表示部に表示された画面の一例を示す図である。図３には、対象空間Ｓ１における現在の環境が対象者１５１にとって快適であるので、エアコンおよび空気清浄器の運転を行わないことを推奨する画面Ｓｃ２が示される。
【００６６】
図３を参照して、領域Ｒｇ１１〜Ｒｇ１６に示される内容は、図２における領域Ｒｇ１１〜Ｒｇ１６に示される内容とそれぞれ同様である。
【００６７】
ここでは、「現在」の「温度」、「湿度」および「空気汚れ」が、最も快適性の高かった「９／２０」における「温度」、「湿度」および「空気汚れ」とそれぞれ近いため、エアコンおよび空気清浄器の運転を行わないことが推奨されている。
【００６８】
図４は、本発明の実施の形態に係る無線端末装置において、表示部に表示された画面の一例を示す図である。図４には、図２のようにエアコンおよび空気清浄器の運転を行うことが推奨される状況において、対象者１５１がボタンＢｔ１２を操作した場合における画面Ｓｃ３が示される。
【００６９】
図４を参照して、領域Ｒｇ１１〜Ｒｇ１５に示される内容は、図２における領域Ｒｇ１１〜Ｒｇ１５に示される内容とそれぞれ同様である。
【００７０】
領域Ｒｇ１６には、機器１１１Ａ〜１１１Ｃを個別に制御するためのラジオボタンが表示されている。
【００７１】
より詳細には、領域Ｒｇ１６において、対象者１５１がエアコンを個別に制御するためのラジオボタンＲｂ１１を操作すると、メッセージボックスＭＢ１１が表示される。
【００７２】
メッセージボックスＭＢ１１には、エアコンの「電源」、「運転モード」、「設定温度」および「風量設定」をそれぞれ設定するためのドロップダウンリストＤＬ１１、ＤＬ１２、ＤＬ１３およびＤＬ１４が表示されている。
【００７３】
対象者１５１は、ドロップダウンリストＤＬ１１、ＤＬ１２、ＤＬ１３およびＤＬ１４を操作することにより、エアコンの「電源」、「運転モード」、「設定温度」および「風量設定」をそれぞれ設定することが可能である。ボタンＢｔ１３が操作されると、対象者１５１によるエアコンの「電源」、「運転モード」、「設定温度」および「風量設定」の設定が反映される。
【００７４】
対象者１５１が機器１１１Ｂまたは１１１Ｃを制御するためのラジオボタンを操作した場合についても、ラジオボタンＲｂ１１を操作した場合と同様である。
【００７５】
図５は、本発明の実施の形態に係る無線端末装置において、表示部に表示された画面の一例を示す図である。図５には、対象者１５１が対象空間Ｓ１へ到着した場合における画面Ｓｃ４が示される。
【００７６】
図５を参照して、領域Ｒｇ１７には、対象空間Ｓ１に設けられたセンサ１３１および機器１１１Ａによる最新の計測結果に基づく計測内容すなわち「気温」、「湿度」および「空気汚れ」が示される。
【００７７】
また、画面Ｓｃ４には、対象空間Ｓ１における環境での対象者１５１にとっての快適度について、５段階評価で機器管理装置１０１に登録するためのドロップダウンリストＤＬ１５が表示されている。
【００７８】
対象者１５１は、たとえば、ドロップダウンリストＤＬ１５を操作することにより快適度の５段階評価を登録する操作である登録操作を行う。
【００７９】
具体的には、対象者１５１は、ドロップダウンリストＤＬ１５のリストアイテムである「１．とても不快」、「２．不快」、「３．ふつう」、「４．快適」および「５．とても快適」のうちのいずれか１つを選択した後、ボタンＢｔ１４を操作する。
【００８０】
無線端末装置２０２は、対象者１５１による登録操作が完了すると、対象者１５１による快適性の登録操作を示す登録情報、ならびに領域Ｒｇ１７における「気温」、「湿度」および「空気汚れ」の各値を含む評価情報を機器管理装置１０１へ送信する。
【００８１】
［機器管理装置］
図６は、本発明の実施の形態に係る機器管理システムにおける機器管理装置の構成を示す図である。
【００８２】
図６を参照して、機器管理装置１０１は、通信部２１と、処理部２２と、受信部（取得部）２３と、送信部２４と、情報作成部２５と、記憶部２６とを備える。
【００８３】
機器管理装置１０１は、たとえば機器１１１Ａ〜１１１Ｃを管理するＨＥＭＳ−ＧＷ（Ｈｏｍｅ  Ｅｎｅｒｇｙ  Ｍａｎａｇｅｍｅｎｔ  Ｓｙｓｔｅｍ−Ｇａｔｅｗａｙ）である。
【００８４】
機器管理装置１０１における受信部２３は、たとえば、対象者１５１にとっての対象空間Ｓ１の快適性を判断可能な快適性情報とセンサ１３１および機器１１１Ａによる対応の計測結果とを含む評価情報を取得する。より詳細には、受信部２３は、たとえば、快適性情報として登録情報を取得する。
【００８５】
具体的には、受信部２３は、評価情報を無線端末装置２０２から受信すると、受信した評価情報を処理部２２へ出力する。
【００８６】
図７は、本発明の実施の形態に係る無線端末装置において、表示部に表示された画面の一例を示す図である。図７には、図５に示す画面Ｓｃ４において、対象者１５１がボタンＢｔ１４を操作した場合における画面Ｓｃ５が示される。
【００８７】
図７を参照して、処理部２２は、受信部２３から評価情報を受けると、受けた評価情報を記憶部２６に保存するとともに、画面Ｓｃ５における領域Ｒｇ１８に表示するための、快適性の登録完了を示す登録完了情報を作成し、作成した登録完了情報を送信部２４へ出力する。
【００８８】
送信部２４は、処理部２２から登録完了情報を受けると、受けた登録完了情報を無線端末装置２０２へ送信する。
【００８９】
再び図１を参照して、無線端末装置２０２は、機器管理装置１０１から登録完了情報を受信すると、受信した登録完了情報に基づいて画面Ｓｃ５を作成し、作成した画面Ｓｃ５を表示部２０４に表示する。
【００９０】
再び図６を参照して、受信部２３は、対象者１５１が対象空間Ｓ１に到着する予定であることを判断可能な到着予定情報を取得する。
【００９１】
より詳細には、受信部２３は、到着予定情報を無線端末装置２０２から受信すると、受信した到着予定情報を処理部２２へ出力する。
【００９２】
処理部２２は、受信部２３から到着予定情報を受けると、計測情報要求を作成し、作成した計測情報要求を通信部２１へ出力する。
【００９３】
通信部２１は、処理部２２から計測情報要求を受けると、受けた計測情報要求を機器１１１Ａおよびセンサ１３１へ送信する。
【００９４】
通信部２１は、送信した計測情報要求の応答として、最新の計測情報を機器１１１Ａおよびセンサ１３１から受信すると、受信した各計測情報を処理部２２へ出力する。
【００９５】
処理部２２は、通信部２１から各計測情報を受けると、受けた各計測情報を情報作成部２５へ出力する。
【００９６】
情報作成部２５は、たとえば、受信部２３によって到着予定情報が取得された場合に、対象空間Ｓ１に設けられた機器１１１Ａおよびセンサ１３１による計測結果に基づく計測内容と、対象空間Ｓ１の環境に影響を与える機器１１１Ａ〜１１１Ｃの制御に関する問い合わせ内容とを含む提示情報を作成する。
【００９７】
たとえば、情報作成部２５は、受信部２３によって取得された評価情報、および受信部２３によって到着予定情報が取得された場合に対応するセンサ１３１および機器１１１Ａによる計測結果に基づいて問い合わせ内容を作成する。
【００９８】
より詳細には、情報作成部２５は、たとえば、受信部２３によって到着予定情報が取得された場合におけるセンサ１３１および機器１１１Ａによる最新の計測結果と快適性が最も高いときのセンサ１３１および機器１１１Ａによる計測結果との比較結果に基づいて、機器１１１の制御の推奨内容を含む問い合わせ内容を決定する。
【００９９】
具体的には、情報作成部２５は、処理部２２から各計測情報を受けると、過去の評価情報を記憶部２６から取得する。より詳細には、情報作成部２５は、過去の評価情報のうち、最も高い値の快適度を含む評価情報（以下、目標評価情報とも称する。）、および直近の過去の評価情報（以下、直近評価情報とも称する。）を取得する。この例では、直近評価情報は、昨日保存された評価情報である。
【０１００】
情報作成部２５は、取得した目標評価情報に含まれる「気温」の値および「湿度」の値と処理部２２から受けた最新の各計測情報の示す「気温」の値および「湿度」の値とをそれぞれ比較する。
【０１０１】
情報作成部２５は、たとえば、比較結果における相違が所定条件ＣＡを満たす場合、機器１１１を動作させることを推奨内容とする。一方、情報作成部２５は、たとえば、比較結果における相違が所定条件ＣＢを満たす場合、機器１１１を動作させることを推奨内容とする。この例では、所定条件ＣＢは、所定条件ＣＡを満たさないという条件である。なお、所定条件ＣＢは、所定条件ＣＡと無関係の条件であってもよい。
【０１０２】
言い換えると、情報作成部２５は、たとえば、比較結果から相違があると判断した場合、機器１１１を動作させることを推奨内容とする。一方、情報作成部２５は、たとえば、比較結果から相違がないと判断した場合、機器１１１を動作させないことを推奨内容とする。
【０１０３】
たとえば、情報作成部２５は、比較結果における相違が所定範囲外である場合、機器１１１を動作させることを推奨内容とする。一方、情報作成部２５は、比較結果における相違が所定範囲内である場合、機器１１１を動作させないことを推奨内容とする。
【０１０４】
具体的には、情報作成部２５は、以下の条件Ｃ１が満たされる場合、機器１１１Ａすなわちエアコンを動作させることを推奨すべきと判断し、条件Ｃ１が満たされない場合、機器１１１Ａを動作させないことを推奨すべきと判断する。
【０１０５】
ここで、条件Ｃ１は、最新の各計測情報の示す「気温」の値が目標評価情報に含まれる「気温」の値より所定値以上であること、最新の各計測情報の示す「気温」の値が目標評価情報に含まれる「気温」の値より所定値以下であること、および最新の各計測情報の示す「湿度」の値が目標評価情報に含まれる「湿度」の値より所定値以上であることの少なくともいずれか１つである。
【０１０６】
情報作成部２５は、条件Ｃ１が満たされると、気温差および湿度差に基づいて、機器１１１Ａの運転モード、設定温度および風量を決定する。
【０１０７】
また、情報作成部２５は、以下の条件Ｃ２が満たされる場合、機器１１１Ｃすなわち加湿器を動作させることを推奨すべきと判断し、条件Ｃ２が満たされない場合、機器１１１Ｃを動作させないことを推奨すべきと判断する。
【０１０８】
ここで、条件Ｃ２は、最新の各計測情報の示す「湿度」の値が目標評価情報に含まれる「湿度」の値より所定値以下であることである。
【０１０９】
また、情報作成部２５は、最新の各計測情報の示すほこり量、花粉量および臭気に基づいて、対象空間Ｓ１における「空気汚れ」の有無を判定する。
【０１１０】
情報作成部２５は、対象空間Ｓ１において「空気汚れ」が有ると判定すると、機器１１１Ｂすなわち空気清浄器を動作させることを推奨すべきと判断し、対象空間Ｓ１において「空気汚れ」が無いと判定すると、機器１１１Ｂを動作させないことを推奨すべきと判断する。
【０１１１】
情報作成部２５は、たとえば、受信部２３によって到着予定情報が取得された場合におけるセンサ１３１および機器１１１Ａによる最新の計測結果と、当該最新の計測結果より前に取得されたセンサ１３１および機器１１１Ａによる計測結果である過去計測結果および対応の快適性と、上記問い合わせ内容とを含む提示情報を作成する。ここで、過去計測結果は、たとえば快適性が最も高いときのセンサ１３１および機器１１１Ａによる計測結果および直近の過去の計測結果である。
【０１１２】
具体的には、情報作成部２５は、画面Ｓｃ１〜Ｓｃ３（図２〜図４参照）における領域Ｒｇ１１〜Ｒｇ１６に表示するための提示情報を作成する。
【０１１３】
より詳細には、情報作成部２５は、領域Ｒｇ１６に表示するための、機器１１１Ａ〜１１１Ｃの動作の推奨内容、機器１１１Ａ〜１１１Ｃの制御の推奨内容、およびこれらの推奨内容を採用するか否かの問い合わせ、領域Ｒｇ１１に表示するための最新の各計測情報、領域Ｒｇ１２，Ｒｇ１４に表示するための直近評価情報、ならびに領域Ｒｇ１３，Ｒｇ１５に表示するための目標評価情報を含む提示情報を作成する。情報作成部２５は、作成した提示情報を処理部２２へ出力する。
【０１１４】
処理部２２は、情報作成部２５から提示情報を受けると、受けた提示情報を送信部２４へ出力する。
【０１１５】
送信部２４は、受信部２３によって到着予定情報が取得された場合に、対象者１５１の携帯する無線端末装置２０２へ提示情報を送信する。
【０１１６】
より詳細には、送信部２４は、情報作成部２５から提示情報を受けると、受けた提示情報を無線端末装置２０２へ送信する。
【０１１７】
再び図１を参照して、無線端末装置２０２は、機器管理装置１０１から提示情報を受信すると、受信した提示情報に基づいて画面Ｓｃ１、Ｓｃ２またはＳｃ３を作成し、作成した画面を表示部２０４に表示する。
【０１１８】
対象者１５１は、表示部２０４に表示された画面を参照し、「おすすめ設定」を採用する場合、ボタンＢｔ１１を操作する。一方、対象者１５１は、「おすすめ設定」を採用しない場合、図４に示すようにＢｔ１２を操作し、各機器１１１の制御内容の設定を行う。
【０１１９】
無線端末装置２０２は、対象者１５１によるボタンＢｔ１１の操作を受けると、「おすすめ設定」を採用する旨を含む操作情報Ｍ１を作成する。一方、無線端末装置２０２は、対象者１５１によるボタンＢｔ１２の操作を受けると、「おすすめ設定」を採用しない旨、および各機器１１１の制御内容を示す制御情報を含む操作情報Ｍ２を作成する。ここで、当該制御内容は、たとえば図４に示すメッセージボックスＭＢ１１の内容である。無線端末装置２０２は、作成した操作情報Ｍ１またはＭ２を機器管理装置１０１へ送信する。
【０１２０】
再び図６を参照して、受信部２３は、たとえば、対象者１５１が推奨内容を採用しない場合に、機器１１１の制御内容を示す制御情報を無線端末装置２０２から取得する。具体的には、受信部２３は、対象者１５１が推奨内容を採用しない場合において、無線端末装置２０２から送信された操作情報Ｍ２を受信する。
【０１２１】
一方、受信部２３は、対象者１５１が推奨内容を採用する場合において、無線端末装置２０２から送信された操作情報Ｍ１を受信する。受信部２３は、受信した操作情報Ｍ１またはＭ２を処理部２２へ出力する。
【０１２２】
処理部２２は、受信部２３から操作情報Ｍ１を受けると、対象者１５１が推奨内容を採用したと認識し、無線端末装置２０２へ送信した提示情報に従って、機器１１１Ａ〜１１１Ｃの動作内容および制御内容を確定する。
【０１２３】
一方、処理部２２は、受信部２３から操作情報Ｍ２を受けると、対象者１５１が推奨内容を採用しなかったと認識し、操作情報Ｍ２に含まれる制御情報に従って、機器１１１Ａ〜１１１Ｃの動作内容および制御内容を確定する。
【０１２４】
処理部２２は、確定した機器１１１の動作内容がオフである場合、当該機器１１１に対しては設定情報を作成しない。
【０１２５】
一方、処理部２２は、確定した機器１１１の動作内容がオンである場合、機器１１１の動作を開始させるべきタイミングＴｓを決定する。より詳細には、たとえば、処理部２２は、対象空間Ｓ１における気温が、制御内容の示すエアコンの設定温度に近づけるのに要する時間Ｔｄを算出し、到着予定情報の示す到着予定時刻より時間Ｔｄ前のタイミングをタイミングＴｓとして決定する。
【０１２６】
処理部２２は、確定した制御内容をタイミングＴｓにおいて開始させるための設定情報を作成し、作成した設定情報を通信部２１経由で当該機器１１１へ送信する。
【０１２７】
図８は、本発明の実施の形態に係る無線端末装置において、表示部に表示された画面の一例を示す図である。図８には、図２のようにエアコンおよび空気清浄器の運転を行うことが推奨される状況において、対象者１５１がボタンＢｔ１１を操作した場合における画面Ｓｃ６が示される。
【０１２８】
図８を参照して、処理部２２は、設定情報の応答として、通信部２１経由で当該機器１１１からＡＣＫを受信すると、領域Ｒｇ１９に表示するための、機器１１１の設定が正常に完了したことを示す設定完了情報を作成し、作成した設定完了情報を送信部２４経由で無線端末装置２０２へ送信する。
【０１２９】
再び図１を参照して、無線端末装置２０２は、機器管理装置１０１から設定完了情報を受信すると、受信した設定完了情報に基づいて画面Ｓｃ６を作成し、作成した画面Ｓｃ６を表示部２０４に表示する。
【０１３０】
再び図６を参照して、受信部２３は、無線端末装置２０２から到着情報を受信すると、受信した到着情報を処理部２２へ出力する。
【０１３１】
処理部２２は、受信部２３から到着情報を受けると、計測情報要求を作成し、作成した計測情報要求を通信部２１経由で機器１１１Ａおよびセンサ１３１へ送信する。
【０１３２】
処理部２２は、送信した計測情報要求の応答として、最新の計測情報を通信部２１経由で機器１１１Ａおよびセンサ１３１から受信すると、受信した各計測情報に基づいて、図５に示す画面Ｓｃ４を表示するための登録催促情報を作成する。
【０１３３】
より詳細には、処理部２２は、領域Ｒｇ１７に表示するための最新の各計測情報、およびドロップダウンリストＤＬ１５を表示するためのリスト情報を含む登録催促情報を作成し、作成した登録催促情報を送信部２４経由で無線端末装置２０２へ送信する。
【０１３４】
再び図１を参照して、無線端末装置２０２は、機器管理装置１０１から登録催促情報を受信すると、受信した登録催促情報に基づいて画面Ｓｃ４を作成し、作成した画面Ｓｃ４を表示部２０４に表示する。
【０１３５】
［動作］
機器管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１３６】
図９は、本発明の実施の形態に係る機器管理システムにおいて、機器管理装置が到着予定情報を受信して処理する際のシーケンスの一例を示す図である。
【０１３７】
図９を参照して、まず、対象者１５１は、自宅へ向かう際、今から自宅へ向かうことを入力するための操作を無線端末装置２０２に対して行う。無線端末装置２０２は、対象者１５１による入力操作を受けて、対象者１５１が自宅へ向かっていると判断する（ステップＳ１００）。
【０１３８】
次に、無線端末装置２０２は、たとえば、自己の位置と自宅の位置との関係に基づいて、対象者１５１が自宅へ到着する時刻である到着予定時刻を算出し、算出した到着予定時刻を示す到着予定情報を作成して機器管理装置１０１へ送信する（ステップＳ１０２）。
【０１３９】
次に、機器管理装置１０１は、無線端末装置２０２から到着予定情報を受信すると、計測情報要求を機器１１１Ａへ送信するとともに（ステップＳ１０４）、計測情報要求をセンサ１３１へ送信する（ステップＳ１０６）。
【０１４０】
次に、機器１１１Ａは、機器管理装置１０１から計測情報要求を受信すると、対象空間Ｓ１における温度および湿度を計測し、計測結果を示す計測情報を作成して機器管理装置１０１へ送信する（ステップＳ１０８）。
【０１４１】
また、センサ１３１は、機器管理装置１０１から計測情報要求を受信すると、対象空間Ｓ１における温度、湿度、ほこり量、花粉量および臭気を計測し、計測結果を示す計測情報を作成して機器管理装置１０１へ送信する（ステップＳ１１０）。
【０１４２】
次に、機器管理装置１０１は、機器１１１Ａおよびセンサ１３１から受信した各計測情報、直近評価情報および目標評価情報に基づいて提示情報を作成する（ステップＳ１１２）。
【０１４３】
次に、機器管理装置１０１は、作成した提示情報を無線端末装置２０２へ送信する（ステップＳ１１４）。
【０１４４】
次に、無線端末装置２０２は、機器管理装置１０１から提示情報を受信すると、受信した提示情報に基づいて画面Ｓｃ１、Ｓｃ２またはＳｃ３等を作成し、作成した画面を表示部２０４に表示する（ステップＳ１１６）。
【０１４５】
次に、対象者１５１は、表示部２０４に表示された画面を参照し、「おすすめ設定」を採用するか否かに応じて、ボタンＢｔ１１またはＢｔ１２等を操作する（ステップＳ１１８）。
【０１４６】
次に、無線端末装置２０２は、対象者１５１による操作を受けると、受けた操作の内容を示す操作情報を作成し、作成した操作情報を機器管理装置１０１へ送信する（ステップＳ１２０）。
【０１４７】
次に、機器管理装置１０１は、無線端末装置２０２から操作情報を受信すると、受信した操作情報、および提示情報のいずれか一方に基づいて設定情報を作成し、作成した設定情報を機器１１１Ａ〜１１１Ｃへ送信する（ステップＳ１２２）。
【０１４８】
次に、機器１１１Ａ〜１１１Ｃは、機器管理装置１０１から設定情報を受信すると、受信した設定情報の示す制御内容を設定し、設定が正常に完了したことを示すＡＣＫを機器管理装置１０１へ送信するとともに、設定した制御内容に従って動作する（ステップＳ１２４）。
【０１４９】
次に、機器管理装置１０１は、機器１１１Ａ〜１１１ＣからＡＣＫを受信すると、設定完了情報を無線端末装置２０２へ送信する（ステップＳ１２６）。
【０１５０】
次に、無線端末装置２０２は、機器管理装置１０１から設定完了情報を受信すると、受信した設定完了情報の内容を表示部２０４に表示する（ステップＳ１２８）。
【０１５１】
なお、上記ステップＳ１２２において、機器管理装置１０１が、無線端末装置２０２から操作情報を受信し、受信した操作情報、および提示情報のいずれか一方に基づいて設定情報を作成して機器１１１Ａ〜１１１Ｃへ送信するとしたが、これに限定するものではない。機器管理装置１０１以外の他の装置が、無線端末装置２０２から操作情報を受信し、受信した操作情報に基づいて設定情報を作成して機器１１１Ａ〜１１１Ｃへ送信してもよい。
【０１５２】
図１０は、本発明の実施の形態に係る機器管理システムにおいて、機器管理装置が到着情報を受信して処理する際のシーケンスの一例を示す図である。
【０１５３】
図１０を参照して、まず、対象者１５１は、自宅に到着した際、自宅に到着したことを入力するための操作を無線端末装置２０２に対して行う。無線端末装置２０２は、対象者１５１による入力操作を受けて、対象者１５１が自宅に到着したことを示す到着情報を作成し、作成した到着情報を機器管理装置１０１へ送信する（ステップＳ２０２）。
【０１５４】
次に、機器管理装置１０１は、無線端末装置２０２から到着情報を受信すると、計測情報要求を機器１１１Ａへ送信するとともに（ステップＳ２０４）、計測情報要求をセンサ１３１へ送信する（ステップＳ２０６）。
【０１５５】
次に、機器１１１Ａは、機器管理装置１０１から計測情報要求を受信すると、対象空間Ｓ１における温度および湿度を計測し、計測結果を示す計測情報を作成して機器管理装置１０１へ送信する（ステップＳ２０８）。
【０１５６】
また、センサ１３１は、機器管理装置１０１から計測情報要求を受信すると、対象空間Ｓ１における温度、湿度、ほこり量、花粉量および臭気を計測し、計測結果を示す計測情報を作成して機器管理装置１０１へ送信する（ステップＳ２１０）。
【０１５７】
次に、機器管理装置１０１は、機器１１１Ａおよびセンサ１３１から受信した各計測情報に基づいて登録催促情報を作成し、作成した登録催促情報を無線端末装置２０２へ送信する（ステップＳ２１２）。
【０１５８】
次に、無線端末装置２０２は、機器管理装置１０１から登録催促情報を受信すると、受信した登録催促情報に基づいて，図５に示す画面Ｓｃ４を作成し、作成した画面Ｓｃ４を表示部２０４に表示する（ステップＳ２１４）。
【０１５９】
次に、対象者１５１は、表示部２０４に表示された画面Ｓｃ４を参照し、ドロップダウンリストＤＬ１５を操作することにより登録操作を行う（ステップＳ２１６）。
【０１６０】
次に、無線端末装置２０２は、対象者１５１による登録操作を受けると、受けた登録操作を示す登録情報、ならびに領域Ｒｇ１７における「気温」、「湿度」および「空気汚れ」を含む評価情報を機器管理装置１０１へ送信する（ステップＳ２１８）。
【０１６１】
次に、機器管理装置１０１は、無線端末装置２０２から評価情報を受信すると、受信した評価情報を保存する（ステップＳ２２０）。
【０１６２】
次に、機器管理装置１０１は、快適性の登録完了を示す登録完了情報を作成し、作成した登録完了情報を無線端末装置２０２へ送信する（ステップＳ２２２）。
【０１６３】
次に、無線端末装置２０２は、機器管理装置１０１から登録完了情報を受信すると、受信した登録完了情報の内容を表示部２０４に表示する（ステップＳ２２４）。
【０１６４】
なお、上記ステップＳ２２０，Ｓ２２２の順番は、上記に限らず、順番を入れ替えてもよい。
【０１６５】
［機器管理装置の変形例］
図１１は、本発明の実施の形態に係る機器管理システムにおける機器管理装置の変形例の構成を示す図である。
【０１６６】
図１１を参照して、機器管理装置１０１の変形例は、通信部（取得部）２１と、処理部２２と、受信部２３と、送信部２４と、情報作成部（取得部）２５とを備える。
【０１６７】
通信部２１は、たとえば、取得部として、対象者１５１が対象空間Ｓ１に到着してから所定時間ＴＭ以内における、対象者１５１による機器１１１に対する直接的な操作内容を快適性情報として取得する。
【０１６８】
情報作成部２５は、たとえば、通信部２１によって取得された操作内容に基づいて快適性を判断する。
【０１６９】
より詳細には、情報作成部２５は、受信部２３が受信する情報を監視し、たとえば受信部２３が無線端末装置２０２から到着情報を受信したタイミングを、対象者１５１が対象空間Ｓ１に到着したタイミングＴ１として取得する。
【０１７０】
また、処理部２２は、受信部２３から到着情報を受けると、計測情報要求を作成し、作成した計測情報要求を通信部２１経由で機器１１１Ａおよびセンサ１３１へ送信する。
【０１７１】
処理部２２は、送信した計測情報要求の応答として、最新の計測情報を通信部２１経由で機器１１１Ａおよびセンサ１３１から受信すると、受信した各計測情報を保持する。
【０１７２】
情報作成部２５は、たとえば、タイミングＴ１における各機器１１１の動作状態とタイミングＴ１から所定時間ＴＭ経過したタイミングＴ２における各機器１１１の動作状態とを取得し、各機器１１１のうち少なくともいずれか１つの動作状態が変化した場合、対象者１５１が機器１１１に対して直接的に操作を行ったと判断する。
【０１７３】
より詳細には、情報作成部２５は、タイミングＴ１において、機器１１１の動作状態を取得するための状態取得要求を通信部２１経由で機器１１１Ａ〜１１１Ｃへ送信する。
【０１７４】
情報作成部２５は、状態取得要求の応答として、機器１１１の動作状態を示す動作状態情報を快適性情報として通信部２１経由で機器１１１Ａ〜１１１Ｃから受信する。この例では、情報作成部２５は、オフの動作状態を示す動作状態情報を通信部２１経由で機器１１１Ａ〜１１１Ｃから受信する。
【０１７５】
そして、情報作成部２５は、タイミングＴ２において、状態取得要求を通信部２１経由で機器１１１Ａ〜１１１Ｃへ送信し、当該状態取得要求の応答として、動作状態情報を快適性情報として通信部２１経由で機器１１１Ａ〜１１１Ｃから受信する。
【０１７６】
情報作成部２５は、機器１１１Ａ〜１１１Ｃから受信する各動作状態情報のうち、少なくともいずれか１つの動作状態情報がオンの動作状態を示す場合、対象者１５１がタイミングＴ１からＴ２までの間において機器１１１に対してオン操作を行ったと判断する。
【０１７７】
一方、情報作成部２５は、当該各動作状態情報のうち、すべての動作状態情報がオフの動作状態を示す場合、対象者１５１がタイミングＴ１からＴ２までの間において機器１１１に対して操作を行っていないと判断する。
【０１７８】
また、情報作成部２５は、たとえば、取得部として、対象者１５１が対象空間Ｓ１に到着してから所定時間ＴＭ以内における、対象者１５１による機器１１１に対する間接的な操作内容を快適性情報として取得し、取得した操作内容に基づいて快適性を判断する。
【０１７９】
より詳細には、情報作成部２５は、タイミングＴ１からＴ２まで受信部２３が受信する情報の監視を継続し、各機器１１１の動作内容および制御内容の設定を行うための無線端末装置２０２からの操作情報の、受信部２３における受信状況を快適性情報として取得する。
【０１８０】
たとえば、情報作成部２５は、受信部２３が操作情報を無線端末装置２０２から受信した場合、対象者１５１がタイミングＴ１からＴ２までの間において機器１１１に対して間接的に操作を行ったと判断する。
【０１８１】
一方、情報作成部２５は、受信部２３が当該操作情報を無線端末装置２０２から受信しなかった場合、対象者１５１がタイミングＴ１からＴ２までの間において機器１１１に対して操作を行っていないと判断する。
【０１８２】
たとえば、対象空間Ｓ１における環境が対象者１５１にとって快適である場合、対象者１５１は、帰宅した際に機器１１１に対して操作を行わないことが多い。したがって、情報作成部２５は、対象者１５１が機器１１１に対して直接的または間接的に操作を行っていないと判断した場合、快適性が「とても快適」または「快適」であると判断し、判断結果を示す判断情報を処理部２２へ出力する。
【０１８３】
一方、たとえば、対象空間Ｓ１における環境が対象者１５１にとって不快である場合、対象者１５１は、帰宅した際に機器１１１に対して操作を行うことが多い。したがって、情報作成部２５は、対象者１５１が機器１１１に対して直接的または間接的に操作を行ったと判断した場合、快適性が「とても不快」または「不快」であると判断し、判断結果を示す判断情報を処理部２２へ出力する。
【０１８４】
処理部２２は、情報作成部２５から判断情報を受けると、受けた判断情報、および保持している各計測情報を評価情報として記憶部２６に保存する。
【０１８５】
情報作成部２５は、判断情報と、対象者１５１が対象空間Ｓ１に到着してから所定時間ＴＭ以内における機器１１１Ａおよびセンサ１３１による対応の計測結果すなわち快適性情報に対応する計測結果と、受信部２３によって到着予定情報が取得された場合に対応する機器１１１Ａおよびセンサ１３１による計測結果とに基づいて問い合わせ内容を作成する。
【０１８６】
より詳細には、情報作成部２５は、たとえば、処理部２２が、受信部２３経由で到着予定情報を受信したことに応答して取得した、センサ１３１および機器１１１Ａによる各計測結果を処理部２２から受けると、以下の処理を行う。
【０１８７】
すなわち、情報作成部２５は、記憶部２６に保存された評価情報を取得し、取得した評価情報、および処理部２２から受けた各計測結果に基づいて問い合わせ内容を作成する。
【０１８８】
なお、本発明の実施の形態に係る機器管理装置では、受信部２３は、到着予定情報を無線端末装置２０２から受信する構成であるとしたが、これに限定するものではない。受信部２３は、取得部として、対象者１５１の帰宅スケジュールの内容を到着予定情報としてデータベース等から取得する構成であってもよい。
【０１８９】
また、本発明の実施の形態に係る機器管理装置では、受信部２３によって到着予定情報が取得された場合に対応するセンサ１３１および機器１１１Ａによる計測結果Ｒ１は、受信部２３によって到着予定情報が取得された場合における最新の計測結果、すなわち到着予定情報の受信に応答して計測情報要求を送信することによりセンサ１３１および機器１１１Ａから取得した計測結果であるとしたが、これに限定するものではない。計測結果Ｒ１は、たとえば周期的に計測結果を受信する場合において、到着予定情報を取得したタイミングより前における直近の計測結果、または当該タイミングより後における直近の計測結果であってもよい。
【０１９０】
ところで、たとえば、自宅の環境がユーザにとって既に快適である状況において、遠隔制御システムでは、予測帰宅時間を基準とする所定の制御タイミングでエアコン等の当該環境に影響を与える機器をオンしてしまうことがある。
【０１９１】
このような場合、当該機器をオンしなくてもユーザは自宅において快適に過ごすことができるので、無駄な電気代が発生してしまう。
【０１９２】
これに対して、本発明の実施の形態に係る機器管理装置では、受信部２３は、対象者１５１が対象空間Ｓ１に到着する予定であることを判断可能な到着予定情報を取得する。そして、送信部２４は、受信部２３によって到着予定情報が取得された場合に、対象空間Ｓ１に設けられたセンサ１３１および機器１１１Ａによる計測結果に基づく計測内容と、対象空間Ｓ１の環境に影響を与える機器１１１の制御に関する問い合わせ内容とを含む提示情報を、対象者１５１の携帯する無線端末装置２０２へ送信する。
【０１９３】
このような構成により、対象者１５１は、対象空間Ｓ１への到着前に対象空間Ｓ１の環境が快適か否かを計測内容から認識することができるので、上記機器１１１を予めオンしておくか否か等を適切に判断して当該機器１１１を制御することができる。したがって、対象空間に到着した対象者に快適な環境を効率的に与えることができる。
【０１９４】
また、本発明の実施の形態に係る機器管理装置では、受信部２３は、対象者１５１にとっての対象空間Ｓ１の快適性を判断可能な快適性情報とセンサ１３１および機器１１１Ａによる対応の計測結果とを取得する。そして、情報作成部２５は、受信部２３によって取得された快適性情報および当該対応の計測結果と受信部２３によって到着予定情報が取得された場合に対応するセンサ１３１および機器１１１Ａによる計測結果とに基づいて問い合わせ内容を作成する。
【０１９５】
このような構成により、快適性に対応する計測結果と到着予定情報が取得された場合に対応する計測結果との関係に基づいて、対象者１５１にとって快適な環境を実現するための当該機器１１１の制御内容を決定することできるので、適切な問い合わせ内容を作成することができる。
【０１９６】
また、本発明の実施の形態に係る機器管理装置では、受信部２３は、快適性情報として、対象者１５１による快適性の登録操作を示す登録情報を取得する。
【０１９７】
このような構成により、対象者１５１の登録内容から対象空間Ｓ１の快適性をより正しく判断することができるので、より適切な問い合わせ内容を作成することができる。
【０１９８】
また、本発明の実施の形態に係る機器管理装置では、通信部２１および情報作成部２５は、対象者１５１が対象空間Ｓ１に到着してから所定時間ＴＭ以内における、対象者１５１による機器１１１に対する操作内容を快適性情報として取得する。情報作成部２５は、取得部２１によって取得された操作内容、および取得した操作内容の少なくともいずれか１つに基づいて快適性を判断する。そして、情報作成部２５は、快適性を判断した結果と、対象者１５１が対象空間Ｓ１に到着してから所定時間ＴＭ以内におけるセンサ１３１および機器１１１Ａによる対応の計測結果と、受信部２３によって到着予定情報が取得された場合に対応するセンサ１３１および機器１１１Ａによる計測結果とに基づいて問い合わせ内容を作成する。
【０１９９】
対象空間Ｓ１に到着した対象者１５１は、不快に感じると当該機器１１１に対してたとえばオン操作を行うことが多く、また、快適に感じると当該機器１１１に対して操作を行わないことが多い。したがって、対象者１５１が対象空間Ｓ１に到着してからの行動に基づき、対象空間Ｓ１の快適性をより正しく判断することができる。これにより、より適切な問い合わせ内容を作成することができる。
【０２００】
また、本発明の実施の形態に係る機器管理装置では、情報作成部２５は、受信部２３によって到着予定情報が取得された場合におけるセンサ１３１および機器１１１Ａによる最新の計測結果と快適性が最も高いときのセンサ１３１および機器１１１Ａによる計測結果との比較結果に基づいて、機器１１１の制御の推奨内容を含む問い合わせ内容を決定する。
【０２０１】
このような構成により、最も快適であった環境と現在の環境との相違を認識することができるので、対象者１５１にとって最も快適な環境を実現するための当該機器１１１の制御内容を対象者１５１に推奨することができる。
【０２０２】
また、本発明の実施の形態に係る機器管理装置では、情報作成部２５は、比較結果における相違が所定条件を満たす場合、機器１１１を動作させることを推奨内容とする。
【０２０３】
このような構成により、対象空間Ｓ１の環境がたとえば不快の条件を満たす場合において、対象者１５１に当該機器１１１を動作させることを推奨することができる。
【０２０４】
また、本発明の実施の形態に係る機器管理装置では、情報作成部２５は、比較結果における相違が所定条件を満たす場合、機器１１１を動作させないことを推奨内容とする。
【０２０５】
このような構成により、対象空間Ｓ１の環境がたとえば快適の条件を満たす場合において、当該機器１１１を無駄に動作させることを防ぐことができる。
【０２０６】
また、本発明の実施の形態に係る機器管理装置では、受信部２３は、対象者１５１が推奨内容を採用しない場合に、機器１１１の制御内容を示す制御情報を無線端末装置２０２から取得する。
【０２０７】
このように、対象者１５１が、推奨内容と異なる制御内容を希望して当該推奨内容を採用しない場合において、対象者１５１の意向が反映された制御内容を取得する構成により、対象者１５１の希望を当該機器１１１の制御に反映させることができる。
【０２０８】
また、本発明の実施の形態に係る機器管理装置では、提示情報は、受信部２３によって到着予定情報が取得された場合におけるセンサ１３１および機器１１１Ａによる最新の計測結果と、最新の計測結果より前に取得されたセンサ１３１および機器１１１Ａによる計測結果である過去計測結果および対応の快適性とを含む。
【０２０９】
このような構成により、対象者１５１は、対象空間Ｓ１へ到着する前に、当該対象空間Ｓ１の環境が快適か否かを、過去のデータからより正しく認識することができる。
【０２１０】
また、本発明の実施の形態に係る機器管理装置では、過去計測結果は、快適性が最も高いときのセンサ１３１および機器１１１Ａによる計測結果である。
【０２１１】
このような構成により、対象者１５１は、対象空間Ｓ１の環境が、最も快適であった環境からどの程度かい離しているかを認識することができる。
【０２１２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２１３】
以上の説明は、以下に付記する特徴を含む。
【０２１４】
［付記１］
機器管理装置であって、
対象者が対象空間に到着する予定であることを判断可能な到着予定情報を取得する取得部と、
前記取得部によって前記到着予定情報が取得された場合に、前記対象空間に設けられたセンサによる計測結果に基づく計測内容と、前記対象空間の環境に影響を与える機器の制御に関する問い合わせ内容とを含む提示情報を、前記対象者の携帯する端末装置へ送信する送信部とを備え、
前記対象空間は、自宅における家屋または部屋であり、
前記端末装置は、前記対象者による操作、または自己の位置および前記対象空間の位置との関係の時間的推移に基づいて、前記対象者が前記対象空間へ向かっていると判断し、
前記端末装置は、前記対象者が前記対象空間へ向かっていると判断した場合、前記対象者が自宅へ到着する予定の時刻を示す前記到着予定情報を前記機器管理装置へ送信し、
前記取得部は、前記到着予定情報を前記端末装置から受信し、
前記送信部は、前記取得部によって前記到着予定情報が受信された場合に、前記対象空間に設けられたセンサによる気温、湿度または空気の汚れ度合いと、前記機器の制御の推奨内容および前記推奨内容を採用するか否かの問い合わせとを含む前記提示情報を前記端末装置へ送信し、
前記端末装置は、前記対象者が前記推奨内容を採用する旨、または前記対象者が前記推奨内容を採用しない旨と前記機器の制御内容を示す制御情報とを含む操作情報を前記機器管理装置へ送信し、
前記取得部は、前記操作情報を前記端末装置から受信し、
前記機器管理装置は、さらに、
前記取得部によって取得された前記操作情報に基づいて、前記機器の動作内容および制御内容を確定し、確定した前記動作内容および前記制御内容を示す設定情報を作成する処理部を備える、機器管理装置。
【符号の説明】
【０２１５】
１０  インターネット
１１  内部ネットワーク
２１  通信部（取得部）
２２  処理部
２３  受信部（取得部）
２４  送信部
２５  情報作成部（取得部）
２６  記憶部
１０１  機器管理装置
１１１  機器
１３１  センサ
１５１  対象者
１６１  アクセスポイント
１７１  基地局
２０２  無線端末装置
２０４  表示部
３０１  機器管理システム
【図１】
0006666586.tif 000002
【図２】
0006666586.tif 000003
【図３】
0006666586.tif 000004
【図４】
0006666586.tif 000005
【図５】
0006666586.tif 000006
【図６】
0006666586.tif 000007
【図７】
0006666586.tif 000008
【図８】
0006666586.tif 000009
【図９】
0006666586.tif 000010
【図１０】
0006666586.tif 000011
【図１１】
0006666586.tif 000012